(57)【特許請求の範囲】
【請求項１】
木造建築の構築で、下階の外壁及び間仕切壁の通気層の空気が、複数の通気パイプ内を流動して上階の二層床の通気層を通過し、該二層床の通気層から上階の外壁及び間仕切り壁の通気層を上昇する建物の構造において、
上階の床構造で胴差、梁及び各根太の上面に渡って下部床板を釘着して水平方向の床構面の剛性を保ち、該下部床板の上部に適宜の空隙を設け、上部床板を支持する根太の根太受金具を用いて上部床板を張って二層床を形成し、前記下階の外壁及び間仕切壁を構成する壁の室内側に張った下地材を、下階の天井板と胴差及び梁の下面との間の空間を各間柱と前記胴差及び梁の内側面に接して上方に延長して張って前記各間柱間の空間を密閉状態にし、前記下階の下地材の各間柱間の中心位置に前記胴差及び梁の下部の適宜の位置に丸孔を設け、前記上階の二層床の下部床板に前記間柱間の中心位置に前記胴差及び梁の室内側の適宜の位置に丸孔を設け、前記下階の外壁及び間仕切壁の下地材に設けた前記丸孔と、前記上階の二層床の下部床板に設けた前記丸孔に合わせてＬ字状の前記通気パイプを連接し、前記下階の外壁及び間仕切壁の通気層内の空気を、複数の前記通気パイプ内を流動して前記二層床の通気層を通過し、前記上階の外壁及び間仕切壁の通気層を上昇することを特徴とする通気パイプを用いた通気構造。
【発明の詳細な説明】
【技術分野】
【０００１】
本発明は、木造建築の下階の外壁及び間仕切壁の通気層の空気を、複数の通気パイプ内を流動して上階の二層床の通気層を通過し、二層床の通気層から上階の外壁及び間仕切壁の通気層へと良好に流動することに関する。
【背景技術】
【０００２】
現在の木造建築の下階と上階の中間の構造は、床全面に周囲の胴差、梁及び根太の上面に渡って床板が張られ、下階の外壁及び間仕切壁の通気層内の空気が上階の床に張った床板で遮断されているので、下階の外壁及び間仕切壁の通気層の空気が、上階の外壁及び間仕切壁の通気層を上昇することができない。上階の外壁及び間仕切壁の通気層の空気が小屋裏空間へと流動し、小屋裏空間から屋外に排出されるという空気の連通が施工されていないので、現在は機械による換気方法のみにて、自然的に建物内を空気が循環する機能がない。
【０００３】
特許文献1の図1に示される様に、内壁空洞の連通を目的とした住宅において、床下地合板を柱間の土台や梁まで敷き込んで床の面剛性を確保し、さらに下側の合板の上に根太そして根太の上に合板を施工して、根太の上下の合板の間に通気空隙を確保し、下の合板は少なくとも土台や梁近くの根太間を含む数ヶ所に小穴をあけて下の空間と根太内の通気空隙とつなぎ、同時に根太内の通気空隙は内壁と連通させて、床下空間と内壁空洞そしてふところ空間や小屋裏空間などの躯体内空間を一連に導通した根太内通気構造となっている。
【０００４】
しかしながら、根太の上下の合板の間に通気空間を確保し、下の合板は根太間を含む数ヶ所に小穴をあけて下の空間と根太内の通気空隙とつなぎ、となっているが、下の空間とは、床下空間であり、床下空間の空気は床下に滞留している空気である、したがって、空気そのものの流動の力は弱いものである。根太内の通気空隙は内壁と連通させて、床下空間と内壁空洞そしてふところ空間や小屋裏空間などの躯体内空間を一連に導通した根太内通気構造となっているが、根太内通気九隙は根太方向のみにて、根太と直角方向の通気が望めない、よって、根太と直角方向の内壁空洞内への通気も望めないので、躯体内空間を一連に空気が導通することは充分とはいえない。
【特許文献１】特開平11−270009号公報（3頁図1）
【発明の開示】
【発明が解決しようとする課題】
【０００５】
この発明が解決しようとする主たる問題点は、上階の床構造が地震又は台風時に水平方向に強力な外力を受けても、床全面に周囲の胴差及び梁に渡って床板を張って床の剛性を保っている。故に下階の外壁及び間仕切壁内から上昇しようとする空気が上階の床板の下側で遮断されていた。本発明は、このような課題を改善するために提案されたものであって、下階の天井と胴差及び梁の下面との間の空間を、内装下地材を間柱間と胴差又は梁の内側面に接して張って外壁及び間仕切壁内の空間を密閉状態に形成し、上階の床構造で胴差、梁及び各根太の上面に渡って下部床板を釘着して水平方向の床構面の剛性を保ち、下部床板の上部に適宜の空隙を設け、上部床板を支持する根太の根太受金具を用いて上部床板を張って二層床の通気層を設け、下階の各間柱間と胴差及び梁の面に接して張った内装下地材に丸孔を設け、上階の二層床の下部床板に丸孔を設け、下階の内装下地材の丸孔と、二層床の下部床板の丸孔に複数のＬ字状の通気パイプを連通し、下階の外壁及び間仕切壁の通気層の空気が、Ｌ字状の複数の通気パイプ内を流動して上階の二層床の通気層を平等に流動し、上階の外壁及び間仕切壁の通気層を上昇することを提供することを目的とする。
【課題を解決するための手段】
【０００６】
請求項1に係る発明は、木造建築の構築で、下階の外壁及び間仕切壁の通気層の空気が、複数の通気パイプ内を流動して上階の二層床の通気層を通過し、該二層床の通気層から上階の外壁及び間仕切壁の通気層を上昇する建物の構造において、
上階の床構造で胴差、梁及び各根太の上面に渡って下部床板を釘着して水平構面の床剛性を保ち、該下部床板の上部に適宜の空隙を開け、上部床板を支持する根太の根太受金具を用いて上部床板を張って二層床を形成し、前記下階の外壁及び間仕切壁を構成する壁の室内側に張った下地材を、下階の天井板と胴差及び梁の下面との間の空間を各間柱と前記胴差及び梁の内側面に接して上方に延長して張って前記各間柱間の空気を密閉状態にし、前記下階の下地材の各間柱間の中心位置に前記胴差及び梁の下部の適宜の位置に丸孔を設け、前記上階の二層床の下部床板に前記間柱間の中心位置に前記胴差及び梁の室内側の適宜の位置に丸孔を設け、前記下階の外壁及び間仕切壁の下地材に設けた前記丸孔と、前記上階の二層床の下部床板に設けた前記丸孔に合わせてＬ字形の前記通気パイプを連接し、前記下階の外壁及び間仕切壁の通気層内の空気を、複数の前記通気パイプ内を流動して前記二層床の通気層を通過し、前記上階の外壁及び間仕切壁の通気層を上昇することで、懸案であった下階からの上階へと空気が自然的に上昇することが出来る。
【発明の効果】
【０００７】
上階の床構造で胴差、梁、及び各根太の上面に渡って下部床板を釘着して水平方向の床構面の剛性を保ち、下部床板の上部に適宜の空隙を設け、上部床板を支持する根太の根太受金具を用いて上部床板を張って二層床の通気層を設け、下階の外壁及び間仕切壁の通気層内の空気が、Ｌ字状の通気パイプ内を流動して上階の二層床の通気層を流動し、二層床の通気層から上階の外壁及び間仕切壁の通気層を上昇し、小屋裏空間に流動した空気を排出手段で屋外に排出することで、建物内のハウスダストや湿気を排出し、新鮮な空気の供給により、機械換気装置の必要がない、建物の健康と居住する人の健康が得られ、維持費が掛からないという効果がある。
【発明を実施するための最良の形態】
【０００８】
以下、本発明を実施するための最良の形態を、添付した図面を参照しながら詳細に説明する。
【０００９】
本実施形態に係る空気の流通は、図1に示すようぬ、密閉状態にした下階の外壁1及び間仕切壁2の通気層3の空気が複数のＬ字状の通気パイプ4内を流動し、上階5の二層床16の通気層3を通過し、上階5の外壁1及び間仕切壁2の通気層3を上昇するものである。
【００１０】
上階5の床構造で、胴差7、梁8及び各根太9の上面に下部床板10を張り渡し、下部床板10から胴差7、梁8及び各根太9の上面に釘を打ち込んで釘着し、水平方向の床構面の剛性を保ち、下部床板10の上部に適宜の空隙を設け、上部床板11を支持する根太15を支持する根太受金具12を用いて上部床板11を張って二層床16の通気層3を設ける。下部床板10には厚さ12ｍｍ以上の構造用合板を張る。
【００１１】
上階5の外壁1及び間仕切壁2の室内側に張った下地材13を、上階5の二層床16の上部床板11の上面から張り上げ、下地材13の下端と二層床16の下部床板10との間に空隙を設けて通気層3を設け、二層床16の通気層3に空気が上階5の外壁1及び間仕切壁2の通気層3へと流動するものである。
【００１２】
下階6の天井板14と胴差7及び梁8の下面との間の空間を、室内側に張った下地材13を延長して複数の間柱17間と胴差7及び梁8の内側面に接して下地材13を張り、外壁1及び間仕切壁2の複数の間柱17間の空間を密閉状態とする。
【００１３】
下階6の天井板14と胴差7及び梁8の下面との間の各間柱17間の中心位置で胴差7及び梁8の下面の適宜の位置の下地材13の面に丸孔18を設け、上階5の二層床16の下部床板10の各間柱17間の中心位置で、胴差7及び梁8から内側に寄ったの適宜な位置に丸孔18を設け、下階6の外壁1及び間仕切壁2の下地材13に設けた丸孔18と、上階5の二層床16の下部床板10に設けた丸孔18にＬ字状の通気パイプ4を連接する。
【００１４】
下階6の外壁1及び間仕切壁2の各通気層3と、上階5の二層床16の通気層3とをＬ字状の複数の通気パイプ4で連接して下階6の外壁1及び間仕切壁2の各通気層3の空気を、上階5の二層床16の通気層3を平等に流動し、上階5の外壁1及び間仕切壁2の各通気層3を上昇し、小屋裏空間に流動した空気を排出手段で屋外に排出することで、建物内を空気が循環して維持費の必要のない、建物にも居住する人にも健康的な環境が得られる。
【図面の簡単な説明】
【００１５】
【図１】下階の外壁の通気層と上階の二層床の通気層にＬ字状の通気パイプを連接した状態の建物の部分断面図である。
【図２】下階の外壁の通気層と上階の二層床の通気層をＬ字状の通気パイプを連接した状態の斜視図である。
【符号の説明】
【００１６】
1  外壁
2  間仕切壁
3  通気層
4  通気パイプ
5  上階
6  下階
7  胴差
8  梁
9  根太
10  下部床板
11  上部床板
12  根太受金具
13  下地材
14  天井板
15  上部床板の受根太
16  二層床
17  間柱
18  丸孔
【要約】
【課題】
下階の外壁及び間仕切壁の通気層の空気を、Ｌ字形の通気パイプ内を流動して上階の二層床の通気層を通過し、上階の外壁及び間仕切壁を上昇する空気の循環装置を提供する。
【解決手段】
下階6の外壁1及び間仕切壁2を構成する壁の室内側に張った下地材13を、下階6の天井板14と胴差7及び梁8の下面との間の空間を各間柱17間と胴差7及び梁8の内側に接して延長して張って各間柱17間の空間を密閉状態にし、下階6の下地材13の各間柱17間の中心位置に胴差7及び梁8の下部の適宜の位置に複数の丸孔18を設け、上階5の二層床16の下部床板10に複数の丸孔18を設け、下階6の壁に設けた丸孔18と上階5の下部床板11に設けた丸孔18に合わせてＬ字状の通気パイプを4を連接し、下階6の外壁1及び間仕切壁2の通気層の空気を、通気パイプ4を流動して上階5の二層床16の通気層3を通過して上階5の外壁1及び間仕切壁2の通気層3を上昇する。
【選択図】  図1【図１】
0003927224.tif 000002
【図２】
0003927224.tif 000003